(57)【要約】      （修正有）【課題】ＵＳＢプラグの内部空間を利用し、内部にＭｉｃｒｏＳＤ／Ｔ−Ｆｌａｓｈメモリーカード用のカードリーダーの挿入溝を備えるＵＳＢプラグのカードリーダーを提供する。【解決手段】金属カバー３０は、上端に第一の壁面３１、下端には第二の壁面３２を有し、第二の壁面３２の端部はメモリーカード５０の凸縁部５１に接合し、凸縁部５１は切り欠き部を形成する。絶縁基板４０は、前面と後面を除き、金属カバー３０で覆われており、第一の表面４１にはインターフェース４３を有し、第一の挿入溝４４に電気的に接続され、一般的なＵＳＢプラグの構造を備えており、厚みが１．２ｍｍ以下であり、第二の表面４２と第二の壁面３２の間に、ＭｉｃｒｏＳＤ／Ｔ−Ｆｌａｓｈメモリーカードが挿入可能な第二の挿入溝を形成しており、第二の表面４２の上面にはメモリーカード５０と電気的に接続する複数個の金属端子を有する。【選択図】図３
0003149967.tif 000002
【実用新案登録請求の範囲】
【請求項１】
金属で成型され、標準ＵＳＢ規格のＡタイププラグのサイズであり、上端に第一の壁面、下端には第二の壁面を有し、前記第二の壁面の端部はメモリーカードの凸縁部に接合し、前記凸縁部は切り欠き部を形成し、前記メモリーカードが第二の挿入溝に挿入された場合、前記切り欠き部の形状が標準規格のＵＳＢプラグ規格に適合しており、電子製品に接続した際、ＵＳＢプラグとしての正常な機能を妨げない金属カバーと、
前面と後面を除き、前記金属カバーで覆われており、第一の表面および第二の表面を有し、前記第一の表面は上を向き、前記第一の表面の表面にはインターフェースを有し、前記第一の表面と前記金属カバーの前記第一の壁面は標準規格のＵＳＢメスプラグを形成しており、第一の挿入溝に電気的に接続され、一般的なＵＳＢプラグの構造を備えており、厚みが１．２ｍｍ以下であり、前記第二の表面と前記第二の壁面の間に、ＭｉｃｒｏＳＤ／Ｔ−Ｆｌａｓｈメモリーカードが挿入可能な前記第二の挿入溝を形成しており、前記第二の表面の上面には前記メモリーカードと電気的に接続する複数個の金属端子を有する絶縁基板と、
を備えることを特徴とするＵＳＢプラグのカードリーダー。
【請求項２】
前記金属カバーの前記切り欠き部は、凹部を有することを特徴とする請求項１に記載のＵＳＢプラグのカードリーダー。
【請求項３】
前記メモリーカードに、前記ＭｉｃｒｏＳＤ／Ｔ−Ｆｌａｓｈメモリーカードを含むことを特徴とする請求項１に記載のＵＳＢプラグのカードリーダー。
【請求項４】
前記ＵＳＢプラグの前記絶縁基板の後端は、プリント基板に接合され、前記プリント基板は前記第一の表面の前記インターフェース、および前記第二の表面の前記金属端子に電気的に接続することを特徴とする請求項１に記載のＵＳＢプラグのカードリーダー。
【請求項５】
前記プリント基板は、フラッシュメモリーを有しており、カードリーダーの機能を有するＵＳＢメモリーを構成することを特徴とする請求項４に記載のＵＳＢプラグのカードリーダー。
【請求項６】
前記プリント基板は、入力回路を有しており、カードリーダーの機能を有するＵＳＢＬＡＮアダプターを構成することを特徴とする請求項４に記載のＵＳＢプラグのカードリーダー。
【請求項７】
前記プリント基板は、伝送ケーブルに接続されることで、カードリーダーの機能を有するＵＳＢケーブルを構成することを特徴とする請求項４に記載のＵＳＢプラグのカードリーダー。
【考案の詳細な説明】
【技術分野】
【０００１】
本考案は、ＵＳＢプラグに関するもので、詳細には、ＵＳＢ  Ａタイプのプラグ内部に設けられた、ＵＳＢプラグのカードリーダーに関する。
【背景技術】
【０００２】
ユニバーサル・シリアル・バス（Ｕｎｉｖｅｒｓａｌ・Ｓｅｒｉａｌ・ＢＵＳ、通称ＵＳＢ）は、コンパック、インテル、マイクロソフト、ＤＥＣ、ＮＥＣ、ＩＢＭ、Ｎｏｒｔｈｅｒｎ・Ｔｅｌｅｃｏｍ・Ｌｉｍｉｔｅｄなど主要電子メーカーが研究開発した。
【０００３】
ＵＳＢプラグは、接続インターフェースの一種の標準規格であり、各種周辺機器への接続プラグを統一し、オールマイティーなプラグとして使用されている。電子、通信、デジタルなど各種電子機器の発展に伴い、ＵＳＢプラグの普及度およびその重要性は、確固たる地位を保っている。
【０００４】
図１に示すように、従来のＵＳＢプラグを備えた伝送ケーブルでは、標準ＵＳＢ規格のＡタイププラグ１０を使用する。金属カバー１１は、厚さｔ1が４．５２ｍｍ、金属カバー１１が覆う絶縁基板１２は厚さｔ2が１．５〜２．０ｍｍである。金属カバー１１の内部には、図示しないＵＳＢメスプラグを有し、挿入溝１３を形成している。しかし従来のＵＳＢプラグ１０は電気的接続の機能のみを有し、伝送ケーブル１４を経て使用したい電子製品に接続され、その他の機能は有していない。
【０００５】
また、各種デジタル新製品が不断に登場し、現在市場では、ＭｉｃｒｏＳＤ、ＭｉｎｉＳＤなど、大小各種のＳＤメモリーカードのような、各種規格および容量のメモリーカードが投入されている。メモリーカードの出現で、カードとパソコン本体を繋ぐ一種のインターフェースが必要となり、パソコン本体のＵＳＢメスプラグを経由し、ファイルが伝送される。現在市場で販売されているカードリーダーの体積はどれも大きく、メモリーカード本体が小さいにもかかわらず、空間の無駄と使用上の不便をもたらしている。
【０００６】
このような背景の下、図２Ａ、及び図２Ｂに示すように、一種のメモリーカードカードリーダー２０が誕生した。プラグ２１の内部の収容空間２２には、プリント基板を有する。プリント基板の前部表面にはインターフェース２５を有し、後部表面には導電用ピン２６を有する。このカードリーダーは、カードスロット２３を有する。メモリーカード２７を挿入し、カード読取りインターフェース２８が導電用ピンに接触すると、プラグ２１とパソコンが接続された際、スムーズにファイルを読み書きすることができる。この種のメモリーカードカードリーダー２０は薄くて軽いという長所は備えているものの、カードスロット２３とＵＳＢプラグ２１が相対する端に設けられているため、カードリーダーとしてしか使用できず、その他の機能を有していないという問題がある。
【考案の概要】
【考案が解決しようとする課題】
【０００７】
本考案の第一の目的は、ＵＳＢプラグの内部空間を巧妙に利用し、ＵＳＢプラグの本来の標準規格および機能を変えることなく、内部にＭｉｃｒｏＳＤ／Ｔ−Ｆｌａｓｈメモリーカード用のカードリーダーの挿入溝を備え、ＵＳＢプラグにファイル伝送機能を有するＵＳＢプラグのカードリーダーを提供することにある。
本考案の第二の目的は、ＵＳＢプラグの内部のＭｉｃｒｏＳＤ／Ｔ−Ｆｌａｓｈメモリーカード用のカードリーダー機能を有するＵＳＢプラグのカードリーダーを提供し、そのＵＳＢプラグを利用してカードリーダーの機能を有するＵＳＢメモリーを構成し、単独でメモリーカードのファイルを読み書き、保存できるほか、電子機器との間でファイルの交換や保存をすることにある。
本考案の第三の目的は、ＵＳＢプラグの内部のＭｉｃｒｏＳＤ／Ｔ−Ｆｌａｓｈメモリーカード用のカードリーダー機能を有するＵＳＢプラグのカードリーダーを提供し、そのＵＳＢプラグを利用してカードリーダーの機能を有するＵＳＢＬＡＮアダプターを構成し、単独でメモリーカードのファイルを読み書き、保存できるほか、電子機器との間でファイルの交換や保存をすることにある。
本考案の第四の目的は、ＵＳＢプラグの内部のＭｉｃｒｏＳＤ／Ｔ−Ｆｌａｓｈメモリーカード用のカードリーダー機能を有するＵＳＢプラグのカードリーダーを提供し、そのＵＳＢプラグを利用してカードリーダーの機能を有するＵＳＢケーブルを構成し、単独でメモリーカードのファイルを読み書き、保存できるほか、伝送ケーブルを通じ、各種電子製品（携帯電話、デジタルカメラ、ＭＰ３、ＭＰ４、ラップトップコンピューター、ＧＰＳ、ＰＤＡ、電動玩具）と接続して使用することができ、記憶、保存、充電、読取り、表示、ファイル伝送などの機能を発揮することにある。
【課題を解決するための手段】
【０００８】
請求項１で述べているように、前記の課題を実現するため、本考案によるＵＳＢプラグのカードリーダーは、金属カバーと、絶縁基板とを備える。金属カバーは、金属で成型され、標準ＵＳＢ規格のＡタイププラグのサイズであり、上端に第一の壁面、下端には第二の壁面を有し、第二の壁面の端部はメモリーカードの凸縁部に接合し、凸縁部は切り欠き部を形成し、メモリーカードが第二の挿入溝に挿入された場合、切り欠き部の形状が標準規格のＵＳＢプラグ規格に適合しており、電子製品に接続した際、ＵＳＢプラグとしての正常な機能を妨げない。絶縁基板は、前面と後面を除き、金属カバーで覆われており、第一の表面および第二の表面を有し、第一の表面は上を向き、第一の表面の表面にはインターフェースを有し、第一の表面と金属カバーの第一の壁面は標準規格のＵＳＢメスプラグを形成しており、第一の挿入溝に電気的に接続され、一般的なＵＳＢプラグの構造を備えており、厚みが１．２ｍｍ以下であり、第二の表面と第二の壁面の間に、ＭｉｃｒｏＳＤ／Ｔ−Ｆｌａｓｈメモリーカードが挿入可能な第二の挿入溝を形成しており、第二の表面の上面にはメモリーカードと電気的に接続する複数個の金属端子を有する。
【図面の簡単な説明】
【０００９】
【図１】従来のＵＳＢプラグを示す斜視図である。
【図２Ａ】従来のＵＳＢプラグのカードリーダーを示す斜視図であり、ＵＳＢプラグとカードリーダー部が分解した状態を示す図である。
【図２Ｂ】従来のＵＳＢプラグのカードリーダーを示す斜視図であり、ＵＳＢプラグとカードリーダー部が接合した状態を示す図である。
【図３】本考案の一実施例によるＵＳＢプラグのカードリーダーを示す斜視図であり、第一の壁面が上を向いた状態を示す図である。
【図４】本考案の一実施例によるＵＳＢプラグのカードリーダーを示す斜視図であり、第二の壁面が上を向いた状態を示す図である。
【図５】図４を５―５線で切断した状態を示す断面図である。
【図６】本考案の一実施例によるＵＳＢプラグのカードリーダーを組み合わせた状態を示す斜視図である。
【図７】図６を７―７線で切断した状態を示す断面図である。
【図８】本考案のもう一種の実施例によるＵＳＢプラグのカードリーダーの斜視図である。
【図９】本考案のもう一種の実施例によるＵＳＢプラグのカードリーダーの分解斜視図である。
【図１０】本考案の一実施例によるＵＳＢプラグのカードリーダーの断面図である。
【図１１】本考案の一実施例によるＵＳＢプラグのカードリーダーがＵＳＢメモリーに応用された状態を示す図である。
【図１２】本考案の一実施例によるＵＳＢプラグのカードリーダーがＵＳＢＬＡＮアダプターに応用された状態を示す図である。
【図１３】本考案の一実施例によるＵＳＢプラグのカードリーダーがＵＳＢケーブルに応用された状態を示す図である。
【考案を実施するための形態】
【００１０】
以下、本考案の実施形態によるＵＳＢプラグのカードリーダーを、図面に基づいて説明する。
【００１１】
図３から図１０に示すように、本考案の実施形態によるＵＳＢプラグ７０は、金属カバー３０および絶縁基板４０を含む。
【００１２】
金属カバー３０は、金属で成型され、標準ＵＳＢ規格のＡタイププラグのサイズである。カバーの上端に第一の壁面３１、下端には第二の壁面３２を有する。第一の壁面３１はＵＳＢプラグ７０が正常に使用される際に上を向き、第二の壁面３２は下を向く。
【００１３】
絶縁基板４０は、前面と後面を除き、金属カバー３０で覆われており、第一の表面４１および第二の表面４２を有する。第一の表面４１は上を向き、第一の表面４１の表面にはインターフェース４３を有する。第一の表面４１と金属カバー３０の第一の壁面３１は標準規格の図示しないＵＳＢメスプラグを形成しており、第一の挿入溝４４に電気的に接続され、一般的なＵＳＢプラグの構造を備える。
【００１４】
本形態の主な特徴は、絶縁基板４０の厚さが薄いことである。従来のＵＳＢプラグでは１．５〜２．０ｍｍであるが、本形態では絶縁基板４０の厚みが１．２ｍｍ以下であり、第二の表面４２と第二の壁面３２との間に、ＭｉｃｒｏＳＤ／Ｔ−Ｆｌａｓｈメモリーカード５０が挿入可能な第二の挿入溝４６を形成している。第二の表面４２の上面にはメモリーカード５０と電気的に接続する複数個の金属端子４５を有する。
【００１５】
標準規格のＭｉｃｒｏＳＤ／Ｔ−Ｆｌａｓｈメモリーカード５０は、その端部に凸縁部５１を有しており、抜き取るのに便利である。本形態のもう一つの特徴は、メモリーカード５０は第二の挿入溝４６に挿入された後、メモリーカード５０の凸縁部５１が金属カバー３０の切り欠き部３３に接合される。金属カバー３０の切り欠き部３３の形状は標準規格のＵＳＢプラグ規格に適合しており、標準規格のＵＳＢプラグを挿入することができる。
【００１６】
金属カバー３０の切り欠き部３３には凹部３４を有する。凹部３４はメモリーカード５０の凸縁部５１との間に指を差し込むことができる空間を形成し、メモリーカード５０を取り出すことができる。
【００１７】
ＵＳＢプラグ７０の絶縁基板４０の後端は、一体成型あるいは部品が組み合わされることで形成される。ＵＳＢプラグ７０の絶縁基板４０は、プリント基板６０に接合される。プリント基板６０は第一の表面４１のインターフェース４３、および第二の表面４２の金属端子４５に電気的に接続し、ＵＳＢプラグとして機能する。さらに、カードリーダーとしての機能を有しており、プリント基板６０に設けられた電気回路の電気信号を読み取ることができる。
【００１８】
図１０に示すように、本考案の一実施例によるＵＳＢプラグ７０は電子製品８０に接続することができる。また、プリント基板６０はフラッシュメモリー６１を有しており、図１１に示すように、カードリーダーの機能を有するＵＳＢメモリー８０Ａを構成することができ、単独でメモリーカードのファイルを読み書き、保存できるほか、電子機器との間でファイルの交換や保存をすることができる。
【００１９】
プリント基板６０は、さらに入力回路６２を有しており、図１２に示すように、カードリーダーの機能を有するＵＳＢＬＡＮアダプター８０Ｂを構成することができ、単独でメモリーカードのファイルを読み書き、保存できるほか、電子機器との間でファイルの交換や保存をすることができる。
【００２０】
図１３に示すように、プリント基板６０は、さらに伝送ケーブル６３に接続されることで、カードリーダーの機能を有するＵＳＢケーブル８０Ｃを構成することができ、単独でメモリーカードのファイルを読み書き・保存できるほか、伝送ケーブルを通じ、各種電子製品例えば、携帯電話、デジタルカメラ、ＭＰ３、ＭＰ４、ラップトップコンピューター、ＧＰＳ、ＰＤＡ、電動玩具等、と接続して使用することができ、記憶、保存、充電、読取り、表示、ファイル伝送などの機能を発揮する。
【００２１】
図１０に示すように、本考案による一実施例では、各種電子製品８０と接続されて使用されるが、ＵＳＢプラグが元来有する規格、機能に何ら変わりはない。すなわち、金属カバー３０の露出部の長さＬは１２ｍｍ、厚さｔ1は４．５２ｍｍ、第一の挿入溝４４の高さＳ1に変わりはなく、唯一の変更点は絶縁基板４０の厚さｔ3であり、ここに第二の挿入溝４６が形成され、標準規格のＭｉｃｒｏＳＤ／Ｔ−Ｆｌａｓｈメモリーカード５０が挿入される。しかしｔ3の変化が、ＵＳＢプラグが元来有する機能に影響を与えることはない。また、金属端子４５が絶縁基板４０の第二の表面４２に設けられているため、カードリーダーの機能を有しており、さらに、金属カバー３０の切り欠き部３３がメモリーカードカードの凸縁部５１に接合するため、メモリーカードカードの凸縁部５１がＵＳＢプラグの外部に露出することはない。
【符号の説明】
【００２２】
３０：金属カバー、３１：第一の壁面、３２：第二の壁面、３３：切り欠き部、３４：凹部、４０：絶縁基板、４１：第一の表面、４２：第二の表面、４３：インターフェース、４４：第一の挿入溝、４５：金属端子、４６：第二の挿入溝、５０：メモリーカード、５１：凸縁部、６０：プリント基板板、６１：フラッシュメモリー、６２：入力回路、６３：伝送ケーブル、７０：ＵＳＢプラグ、８０：電子製品、８０Ａ：ＵＳＢメモリー、８０Ｂ：ＵＳＢＬＡＮアダプター、８０Ｃ：ＵＳＢケーブル
【図１】
0003149967.tif 000003
【図２Ａ】
0003149967.tif 000004
【図２Ｂ】
0003149967.tif 000005
【図３】
0003149967.tif 000006
【図４】
0003149967.tif 000007
【図５】
0003149967.tif 000008
【図６】
0003149967.tif 000009
【図７】
0003149967.tif 000010
【図８】
0003149967.tif 000011
【図９】
0003149967.tif 000012
【図１０】
0003149967.tif 000013
【図１１】
0003149967.tif 000014
【図１２】
0003149967.tif 000015
【図１３】
0003149967.tif 000016